【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】  デジタル信号のビットストリームがパケット単位で時分割で多重化されるとともにビットストリーム中に当該ビットストリームの出力タイミングを示す時間基準参照値を含んでいる一以上の一次多重化ストリームを一以上の一次多重化装置から受信し、受信した各一次多重化ストリームをパケット単位で時分割で多重化して二次多重化ストリームを生成するデジタル信号多重化装置において、
各上記一次多重化装置から各一次多重化ストリームを受信する受信手段と、
上記受信手段により受信したそれぞれの一次多重化ストリームを、時間基準参照値が付与されているパケットと、時間基準参照値が付与されていないパケットとに分離する分離手段と、
上記時間基準参照値が付与されているパケットと、上記時間基準参照値が付与されていないパケットとを多重化して、１以上の上記一次多重化ストリームがパケット単位で多重化された二次多重化ストリームを生成する二次多重化手段とを備え、
上記二次多重化手段は、それぞれの一次多重化ストリームに関する時間基準参照値が付与されているパケットを、所定パケット周期毎で二次多重化ストリーム内に配置すること  を特徴とするデジタル信号多重化装置。
【請求項２】  各一次多重化ストリームに含まれている時間基準参照値を、二次多重化ストリームとして多重化した際の当該パケットの出力タイミングに同期させた値に補正する時間基準参照値補正手段を備えること
を特徴とする請求項１記載のデジタル信号多重化装置。
【請求項３】  上記分離手段は、時間基準参照値が付与されたパケットが所定のパケット数毎に配置された一次多重化ストリームを、各一次多重化装置から受信すること
を特徴とする請求項２記載のデジタル信号多重化装置。
【請求項４】  上記分離手段は、時間基準参照値が付与されたパケットが所定の出力時間間隔毎に配置された一次多重化ストリームを、各一次多重化装置から受信すること
を特徴とする請求項２記載のデジタル信号多重化装置。
【請求項５】  デジタル信号多重化装置本体を動作させるための基準クロックは、上記一次多重化装置を動作させるための基準クロックと非同期であり、
上記二次多重化手段は、上記時間基準参照値補正手段により補正した時間基準参照値が、上記一次多重化ストリームに付加された時間基準参照値よりも一定時間以上早くなった場合には、ダミーデータを二次多重化ストリームに含めること
を特徴とする請求項２記載のデジタル信号多重化装置。
【請求項６】  出力される二次多重化ストリームのビットレートは、二次多重化出力のために各一次多重化ストリームに割り当てられたビットレートの合計よりも、高く制御されていること
を特徴とする請求項５記載のデジタル信号多重化装置。
【請求項７】  上記受信手段は、当該デジタル信号多重化装置本体を動作させるための基準クロックの定格の最小値をＣｒＭＩＮ、上記一次多重化装置を動作させるための基準クロックの定格の最大値をＣｐＭＡＸ、各一次多重化ストリームに割り当てられるビットレートをＰとした場合、ビットレートが、
（ＣｒＭＩＮ／ＣｐＭＡＸ）×Ｐ
に設定された各一次多重化ストリームを、各一次多重化装置から受信すること
を特徴とする請求項６記載のデジタル信号多重化装置。
【請求項８】  デジタル信号多重化装置本体を動作させるための基準クロックは、上記一次多重化装置を動作させるための基準クロックと非同期であり、
上記二次多重化手段は、上記時間基準参照値補正手段により補正した時間基準参照値が、上記一次多重化ストリームに付加された時間基準参照値よりも一定時間以上遅くなった場合には、一次多重化ストリームに含まれているダミーデータを削除すること
を特徴とする請求項２記載のデジタル信号多重化装置。
【請求項９】  出力される二次多重化ストリームのビットレートは、二次多重化出力のために各一次多重化ストリームに割り当てられたビットレートの合計よりも、低く制御されていること
を特徴とする請求項８記載のデジタル信号多重化装置。
【請求項１０】  上記受信手段は、当該デジタル信号多重化装置本体を動作させるための基準クロックの定格の最小値をＣｒＭＩＮ、上記一次多重化装置を動作させるための基準クロックの定格の最大値をＣｐＭＡＸ、各一次多重化ストリームに割り当てられるビットレートをＰとした場合、ビットレートが、
（ＣｐＭＡＸ／ＣｒＭＩＮ）×Ｐ
に設定された各一次多重化ストリームを、各一次多重化装置から受信すること
を特徴とする請求項９記載のデジタル信号多重化装置。
【請求項１１】  上記受信手段は、ダミーデータが多重化された一次多重化ストリームを、各一次多重化装置から受信すること
を特徴とする請求項８記載のデジタル信号多重化装置。
【請求項１２】  上記一次多重化ストリーム及び二次多重化ストリームは、ＩＳＯ／ＩＥＣ１３８１８−１に規定されたトランスポートストリームであること
を特徴とする請求項２記載のデジタル信号多重化装置。
【請求項１３】  上記時間基準参照値は、ＩＳＯ／ＩＥＣ１３８１８−１に規定されているＰＣＲ（ Program Clock Reference ）であること
を特徴とする請求項１２記載のデジタル信号多重化装置。
【請求項１４】  上記ダミーデータは、ＩＳＯ／ＩＥＣ１３８１８−１に規定されているＮＵＬＬトランスポートストリームパケットであること
を特徴とする請求項１１記載のデジタル信号多重化装置。
【請求項１５】  分離された時間基準参照値が付与されているパケットから、当該時間基準参照値を除去する時間基準参照値除去手段と、
一次多重化ストリームに含まれている時間基準参照値に基づき二次多重化ストリームに対応した時間基準参照値を求め、求めた時間基準参照値が付与された新たなパケットを生成する時間基準参照値生成手段とを備えること
を特徴とする請求項１記載のデジタル信号多重化装置。
【請求項１６】  上記時間基準参照値除去手段は、分離された時間基準参照値が付与されているパケットの当該時間基準参照値をダミーデータに置き換えること
を特徴をする請求項１５記載のデジタル信号多重化装置。
【請求項１７】  デジタル信号多重化装置本体を動作させるための基準クロックは、上記一次多重化装置を動作させるための基準クロックと非同期であり、
出力される二次多重化ストリームのビットレートは、二次多重化出力のために各一次多重化ストリームに割り当てられたビットレートの合計と、時間基準参照値が付与され得た新たなパケット相当分のビットレートとを加えたビットレートとされていること
を特徴とする請求項１５記載のデジタル信号多重化装置。
【請求項１８】  上記一次多重化ストリーム及び二次多重化ストリームは、ＩＳＯ／ＩＥＣ１３８１８−１に規定されたトランスポートストリームであること
を特徴とする請求項１５記載のデジタル信号多重化装置。
【請求項１９】  上記時間基準参照値は、ＩＳＯ／ＩＥＣ１３８１８−１に規定されているＰＣＲ（ Program Clock Reference ）であること
を特徴とする請求項１８記載のデジタル信号多重化装置。
【請求項２０】  上記時間基準参照値除去手段は、上記ＰＣＲが付与されているパケットのＰＣＲ＿Ｆｌａｇを０に置き換え、ＰＣＲと等しいデータ長のＳｔｔｕｆｆｉｎｇ＿ｂｙｔｅを挿入して、一次多重化ストリームから時間基準参照値を除去すること
を特徴とする請求項１９記載のデジタル信号多重化装置。
【請求項２１】  デジタル信号のビットストリームがパケット単位で時分割で多重化されるとともにビットストリーム中に当該ビットストリームの出力タイミングを示す時間基準参照値を含んでいる一以上の一次多重化ストリームを受信し、受信した各一次多重化ストリームをパケット単位で時分割で多重化して二次多重化ストリームを生成するデジタル信号多重化方法において、
各一次多重化ストリームを受信し、
受信したそれぞれの一次多重化ストリームを、上記時間基準参照値が付与されているパケットと、上記時間基準参照値が付与されていないパケットとに分離し、
上記時間基準参照値が付与されているパケットと、上記時間基準参照値が付与されていないパケットとを多重化して、１以上の上記一次多重化ストリームがパケット単位で多重化された二次多重化ストリームを生成し、
二次多重化ストリームを多重化する際に、それぞれの一次多重化ストリームに関する時間基準参照値が付与されているパケットを、所定パケット周期毎で二次多重化ストリーム内に配置すること
を特徴とするデジタル信号多重化方法。